(57)【要約】【課題】ランプユニットを所期の位置に組み込む際に、ランプユニット側のコネクタと本体側のコネクタとを簡易かつ円滑に接合できるようにする。【解決手段】回路基板７００は、Ｘ軸方向およびＺ軸方向に変位可能に基板保持部６４０に装着されている。ランプホルダ６００をホルダ収容部８００に装着すると、ホルダ収容部８２０に突設されたピン８２２の先端が、回路基板７００の孔７０１に挿入される。このとき、回路基板７００は、ピン８２２端部の傾斜部８２２ｂに案内されて位置ずれが補正される。これにより、回路基板７００下面のコネクタ７０６が回路基板９００のコネクタ９０３と向き合い、両コネクタが適正に接合される。【選択図】図７
2010113093.tif 000002
【特許請求の範囲】
【請求項１】
ランプを保持するランプホルダと、
前記ランプホルダに装着され第１のコネクタを有する第１の回路基板と、
前記ランプホルダが装着されるホルダ収容部と、
前記ホルダ収容部側に配され前記第１のコネクタに接合される第２のコネクタを有する第２の回路基板とを備え、
前記ランプホルダは、前記第１のコネクタと前記第２のコネクタの接合方向に移動されることにより前記ホルダ収容部に装着され、
前記第１の回路基板と前記第２の回路基板の何れか一方が、前記第１のコネクタと前記第２のコネクタの接合方向に垂直な方向に変位可能となっている、
ことを特徴とする照明装置。
【請求項２】
請求項１に記載の照明装置において、
前記ランプホルダが前記ホルダ収容部に装着される際に前記第１のコネクタと前記第２のコネクタが互いに接合可能に向き合うよう、前記第１のコネクタと前記第２のコネクタの相対位置を調整する位置調整手段を有する、
ことを特徴とする照明装置。
【請求項３】
請求項２に記載の照明装置において、
前記位置調整手段は、前記第１の回路基板と前記第２の回路基板のうち変位可能な回路基板に配された孔と、他方の回路基板側から突出し前記孔と係合する突起とを備える、
ことを特徴とする照明装置。
【請求項４】
請求項３に記載の照明装置において、
前記突起の端部が先細りの形状となっている、
ことを特徴とする照明装置。
【請求項５】
請求項１ないし４の何れか一項に記載の照明装置と、
前記照明装置によって生成された照明光を映像信号に応じて変調する変調素子と、
前記照明装置からの照明光を前記変調素子へと導く導光光学系と、を備える
ことを特徴とする映像表示装置。
【請求項６】
ランプと、
前記ランプを保持するランプホルダと、
前記ランプホルダに装着されコネクタを有する回路基板と、
前記ランプホルダが装着されるホルダ収容部とを備え、
前記回路基板は、コネクタの接合方向に垂直な方向に変位可能となっている、
ことを特徴とするランプユニット。
【請求項７】
請求項６に記載のランプユニットにおいて、
前記回路基板には、前記ランプホルダが本体装置側のホルダ収容部に装着される際に前記ホルダ収容部側から突出した突起に係合する孔が配されている、
ことを特徴とするランプユニット。
【発明の詳細な説明】
【技術分野】
【０００１】
本発明は、照明装置、当該照明装置を搭載する映像表示装置および前記照明装置に装着されるランプユニットに関し、特に、ランプユニットが取り換え可能な場合に用いて好適なものである。
【背景技術】
【０００２】
現在、画像をスクリーンに拡大投写する投写型の映像表示装置（以下、「プロジェクタ」という）が商品化され広く普及している。かかるプロジェクタでは、一般に、光源としてランプが使用されており、ランプからの光が光変調素子によって変調されてスクリーンに投写される。
【０００３】
この場合、投写動作の途中でランプが切れると、画像の表示が中断されてしまう。このような事態に対処するために、プロジェクタでは、通常、ランプが交換可能となっている。
【０００４】
簡易な作業によりランプ交換が可能となれば、プロジェクタの使用場面に応じて適宜ランプが交換されることも想定される。たとえば、プロジェクタを用いてプレゼンテーションを行う場合、練習中には古いランプを使用し、本番では高輝度の新しいランプを使用するといったことがなされ得る。
【０００５】
ランプ交換が頻繁に起こると、ランプ毎に、寿命やプロジェクタへの適合性などを管理する必要がある。この場合、ランプ側に回路基板を配置し、この回路基板に所定の情報を保持させる方法が取られ得る。この方法では、ランプ装着時に、プロジェクタ本体側の回路基板とランプ側の回路基板との間に通信路が確立される必要がある。かかる通信路の確立は、互いに接合する２つのコネクタを各回路基板に配することにより実現可能である。
【０００６】
以下の特許文献１には、バックライト装置におけるコネクタが記載されている。ここでは、インバータ回路基板にコネクタが配され、このコネクタが、蛍光管から引き出された電極線と接続される。
【特許文献１】特開２００８−１６３３４号公報
【発明の開示】
【発明が解決しようとする課題】
【０００７】
ランプ交換時の作業性を向上させるには、ランプの装着に伴って、両回路基板のコネクタが互いに接合されるのが望ましい。たとえば、ランプユニットの装着時に互いに対向するように両コネクタを配置する。こうすれば、ランプユニットをプロジェクタ本体側の所期の位置に組み込むことによって、同時に、両コネクタを互いに接合させることができる。
【０００８】
しかし、ランプユニットに回路基板を配する場合、回路をなるべく熱源から遠ざけるために、ランプから離れた位置に回路基板が配される。通常、ランプは、その光軸を光学エンジンに対して適正に位置づけるために、プロジェクタ本体内の所期の位置に正確に位置決めされる。しかし、回路基板が上記のようにランプから離れた位置にあると、ランプを正確に位置決めしてもランプユニット側の回路基板に位置ずれが生じ、両回路基板のコネクタを適正に接合できないことが起こり得る。
【０００９】
本発明は、かかる問題に鑑みてなされたものであり、ランプユニットを所期の位置に組み込む際に、ランプユニット側のコネクタと本体側のコネクタとを簡易かつ円滑に接合できるようにすることを目的とする。
【００１０】
なお、本発明の目的は、ランプの寿命やプロジェクタへの適合性などを管理するための回路基板に限らず、何らかの回路基板がランプユニットに装着される場合に広く適応するものである。
【課題を解決するための手段】
【００１１】
本発明の第１の態様は、照明装置に関する。本態様に係る照明装置は、ランプを保持するランプホルダと、前記ランプホルダに装着され第１のコネクタを有する第１の回路基板と、前記ランプホルダが装着されるホルダ収容部と、前記ホルダ収容部側に配され前記第１のコネクタに接合される第２のコネクタを有する第２の回路基板とを備える。ここで、前記ランプホルダは、前記第１のコネクタと前記第２のコネクタの接合方向に移動されることにより前記ホルダ収容部に装着され、前記第１の回路基板と前記第２の回路基板の何れか一方が、前記第１のコネクタと前記第２のコネクタの接合方向に垂直な方向に変位可能となっている。
【００１２】
本態様に係る照明装置によれば、ランプホルダがホルダ収容部に装着される際に第１のコネクタと第２のコネクタが互いに向き合っていなくとも、第１の回路基板と第２の回路基板の相対位置を変化させることにより、第１のコネクタと第２のコネクタを互いに正対向させることができる。よって、ランプホルダをホルダ収容部に装着する際に、簡易に、第１のコネクタと第２のコネクタを接合させることができる。
【００１３】
本態様に係る照明装置は、前記ランプホルダが前記ホルダ収容部に装着される際に前記第１のコネクタと前記第２のコネクタが互いに接合可能に向き合うよう、前記第１のコネクタと前記第２のコネクタの相対位置を調整する位置調整手段をさらに有するよう構成され得る。
【００１４】
ここで、前記位置調整手段は、前記第１の回路基板と前記第２の回路基板のうち変位可能な回路基板に配された孔と、他方の回路基板側から突出し前記孔と係合する突起とを備える構成とされ得る。
【００１５】
このように位置調整手段を配すると、第１のコネクタを第２のコネクタに対し適正に位置決めすることができ、両コネクタの接合をより簡便に行うことができる。
【００１６】
なお、位置調整手段を孔と突起で構成する場合には、前記突起の端部が先細りの形状となっているのが望ましい。こうすると、ランプホルダをホルダ収容部に装着する際に、突起の端部が孔に挿入し易くなり、また、第１の回路基板と第２の回路基板との間に相対的な位置ずれが生じていても、突起に案内されて孔を有する方の回路基板が変位して、両回路基板の相対位置が適正化される。よって、ランプホルダをホルダ収容部に装着するのみで、第１のコネクタと第２のコネクタとを接合させることができる。
【００１７】
本発明の第２の態様は、映像表示装置に関する。本態様に係る映像表示装置は、上記構成を有する照明装置と、前記照明装置によって生成された照明光を映像信号に応じて変調する変調素子と、前記照明装置からの照明光を前記変調素子へと導く導光光学系とを備える。本態様に係る映像表示装置によれば、上記第１の態様に係る照明装置による効果を奏することができる。
【００１８】
本発明の第３の態様は、ランプユニットに関する。本態様に係るランプユニットは、ランプと、前記ランプを保持するランプホルダと、前記ランプホルダに装着されコネクタを有する回路基板と、前記ランプホルダが装着されるホルダ収容部とを備える。そして、前記回路基板は、コネクタの接合方向に垂直な方向に変位可能となっている。
【００１９】
本態様に係るランプユニットによれば、ランプホルダがホルダ収容部に装着される際にコネクタが本体側のコネクタに向き合っていなくとも、回路基板の位置を変化させることにより、ランプホルダ側のコネクタと本体側のコネクタを互いに正対向させることができる。よって、ランプホルダをホルダ収容部に装着する際に、簡易に、ランプホルダ側のコネクタと本体側のコネクタを接合させることができる。
【００２０】
本態様に係るランプユニットにおいて、前記回路基板には、前記ランプホルダが本体装置側のホルダ収容部に装着される際に前記ホルダ収容部側から突出した突起に係合する孔が配され得る。こうすると、ランプホルダ側のコネクタを本体側のコネクタに対し適正に位置決めすることができ、両コネクタの接合をより簡便に行うことができる。
【発明の効果】
【００２１】
以上のとおり本発明によれば、ランプユニットを所期の位置に組み込む際に、ランプユニット側のコネクタと本体側のコネクタとを簡易かつ円滑に接合できるようにすることができる。
【００２２】
本発明の効果ないし意義は、以下に示す実施の形態の説明により更に明らかとなろう。ただし、以下の実施の形態は、あくまでも、本発明を実施化する際の一つの例示であって、本発明は、以下の実施の形態に記載されたものに何ら制限されるものではない。
【発明を実施するための最良の形態】
【００２３】
以下、図面を参照して、実施の形態に係るプロジェクタの構成を説明する。なお、本実施の形態に係るプロジェクタは、照明装置の光源として２つのランプユニットを有している。
【００２４】
図１は、プロジェクタの構成を示す図（外観斜視図）である。プロジェクタは、キャビネット１を備えている。キャビネット１は、上下に薄く前後に長い略直方体形状を有しており、その側面には、キャビネット１内部に外気を取り込むための吸気口５が形成されている。なお、キャビネット１の裏面には図示しないランプカバーが開閉可能に配され、ユーザは、適宜、このランプカバーを開放してランプユニットを交換することができる。
【００２５】
キャビネット１内には、光学エンジン２、投写レンズ３、および冷却装置４が配されている。光学エンジン２は、映像信号により変調された光（映像光）を生成する。光学エンジン２には、投写レンズ３が装着されており、投写レンズ３の前部が、キャビネット１の前面から露出している。光学エンジン２で生成された映像光は、投写レンズ３によって、プロジェクタ前方に配されたスクリーン面に投写される。冷却装置４は、吸気口５から外気を取り込み、この外気を冷却風として光学エンジン２に供給する。
【００２６】
図２は、光学エンジンの構成を示す図である。同図において、１０は、２つのランプユニット１０ａ、１０ｂとミラーユニット１０ｃを有する照明装置である。ランプユニット１０ａ、１０ｂは、超高圧水銀ランプ、メタルハライドランプ、キセノンランプ等からなるランプを備えている。ランプユニット１０ａ、１０ｂからの光は、リフレクタの作用により略平行光となって出射される。なお、ランプユニット１０ａ、１０ｂの構成は、追って詳述する。
【００２７】
ミラーユニット１０ｃには、同図Ｘ−Ｚ平面に平行に回動可能なミラーが配されている。ミラーは、ランプユニット１０ａの起動時にはランプユニット１０ａからの光をフライアイインテグレータ１１へと導き、ランプユニット１０ｂの起動時にはランプユニット１０ｂからの光をフライアイインテグレータ１１へと導くよう回動される。ミラーユニット１０ｃの構成は、追って、図３ないし図５を参照して説明する。
【００２８】
照明装置１０からの光は、フライアイインテグレータ１１を介して、ＰＢＳ（偏光ビームスプリッタ）アレイ１２およびコンデンサレンズ１３に入射される。フライアイインテグレータ１１は、蝿の目状のレンズ群からなる第１および第２のフライアイレンズを備え、液晶パネル１８、２４、３３に入射する際の光量分布が均一となるよう、照明装置１０から入射される光に光学作用を付与する。
【００２９】
ＰＢＳアレイ１２は、複数のＰＢＳと１／２波長板がアレイ状に配列されたものであり、フライアイインテグレータ１１から入射された光の偏光方向を一方向に揃える。コンデンサレンズ１３は、ＰＢＳアレイ１２から入射された光に集光作用を付与する。コンデンサレンズ１３を透過した光は、ダイクロイックミラー１４に入射する。
【００３０】
ダイクロイックミラー１４は、コンデンサレンズ１３から入射された光のうち、青色波長帯の光（以下、「Ｂ光」という）のみを透過し、赤色波長帯の光（以下、「Ｒ光」という）と緑色波長帯の光（以下、「Ｇ光」という）を反射する。ダイクロイックミラー１４を透過したＢ光は、ミラー１５よって反射されコンデンサレンズ１６に入射される。
【００３１】
コンデンサレンズ１６は、Ｂ光が略平行光で液晶パネル１８に入射するよう、Ｂ光に光学作用を付与する。コンデンサレンズ１６を透過したＢ光は、入射側偏光板１７を介して液晶パネル１８に入射される。液晶パネル１８は、青色用の映像信号に応じて駆動され、その駆動状態に応じてＢ光を変調する。液晶パネル１８によって変調されたＢ光は、出射側偏光板１９を介して、ダイクロイックプリズム２０に入射される。
【００３２】
ダイクロイックミラー１４によって反射された光のうちＧ光は、ダイクロイックミラー２１によって反射され、コンデンサレンズ２２に入射される。コンデンサレンズ２２は、Ｇ光が略平行光で液晶パネル２４に入射するよう、Ｇ光に光学作用を付与する。コンデンサレンズ２２を透過したＧ光は、入射側偏光板２３を介して液晶パネル２４に入射される。液晶パネル２４は、緑色用の映像信号に応じて駆動され、その駆動状態に応じてＧ光を変調する。液晶パネル２４によって変調されたＧ光は、出射側偏光板２５を介して、ダイクロイックプリズム２０に入射される。
【００３３】
ダイクロイックミラー２１を透過したＲ光は、コンデンサレンズ２６に入射される。コンデンサレンズ２６は、Ｒ光が略平行光で液晶パネル３３に入射するよう、Ｒ光に光学作用を付与する。コンデンサレンズ２６を透過したＲ光は、光路長調整用のリレーレンズ２７、２９、３１と２つのミラー２８、３０からなる光路を進み、入射側偏光板３２を介して液晶パネル３３に入射される。液晶パネル３３は、赤色用の映像信号に応じて駆動され、その駆動状態に応じてＲ光を変調する。液晶パネル３３によって変調されたＲ光は、出射側偏光板３４を介して、ダイクロイックプリズム２０に入射される。
【００３４】
ダイクロイックプリズム２０は、液晶パネル１８、２４、３３によって変調されたＢ光、Ｇ光およびＲ光を色合成し、投写レンズ３へと入射させる。投写レンズ３は、投写光を被投写面上に結像させるためのレンズ群と、これらレンズ群の一部を光軸方向に変位させて投写画像のズーム状態およびフォーカス状態を調整するためのアクチュエータを備えている。ダイクロイックプリズム２０によって色合成された光は、投写レンズ３によって、スクリーン上に拡大投写される。
【００３５】
次に、図３を参照して、ミラーユニット１０ｃの構成について説明する。
【００３６】
図３は、ミラーユニット１０ｃの構成を示す斜視図である。
【００３７】
同図において、ベース１００は、上板部１０１、下板部１０２、背板部１０３および２つの壁部１０４を備えている。これら上板部１０１、下板部１０２、背板部１０３および２つの壁部１０４は、アルミダイキャストにより一体形成されている。また、２つの壁部１０４の間には、上板部１０１へと繋がる凹部１０５が配されている。下板部１０２と上板部１０１は互いに平行となっている。下板部１０２と上板部１０１の間にミラーホルダ２００が回動可能に配される。
【００３８】
２つの壁部１０４と背板部１０３の内側面には、調節板２０３よりやや大きめの輪郭の凹部が成され、この凹部に、調節板２０３が嵌め込まれネジ止めされている。調節板２０３は、中央部が背板部１０３にネジ止めされ、２つの壁部１０４に対応する部分が弾性変位可能に壁部１０４に押し付けられている。調節板２０３は、可撓性のある金属性の薄板からなっている。また、２つの壁部１０４の外側面には調節ネジ２０４が螺着され、これら調節ネジ２０４の先端がそれぞれ調節板２０３に当接している。
【００３９】
なお、２つの壁部１０４は、ミラーユニット１０ｃが図２の光学エンジンに配置されたときに、各内側面が、それぞれ、ランプユニット１０ａ、１０ｂからの光の進行方向に対して略４５°の角度で傾くように形成されている。
【００４０】
ミラーホルダ２００には、ミラー２０１が装着されている。また、ミラーホルダ２００の上下の面には、それぞれ同軸となる位置に、軸２０２が突設されている。ミラーホルダ２００の下面に配された軸２０２は下板部１０２に配された軸穴に嵌合し、上面に配された軸２０２は軸受けを介してトルクリミッタ４０２に装着されている。
【００４１】
上板部１０１の上面には、ボスを介して基板３００が装着されている。基板３００には、下面に２つの検出スイッチ３０１、３０２が装着されている。これら検出スイッチ３０１、３０２は、ミラーホルダ２００が回動終端位置にあるときに、ミラーホルダ２００上面の突起（図示せず）に押されてＯＮされる。
【００４２】
駆動部４００は、トルクリミッタ４０２が配されたギア４０１と、ギア４０３と、モータ４０４と、モータ４０４の駆動軸に装着されたギア（図示せず）と、カバー４０５と、下板部１０２側に配されたコイルバネ４０６を備えている。トルクリミッタ４０２は、一定以上のトルクが掛かったときにギア４０１を空転させる。ギア４０３はカバー４０５に回動可能に装着されている。また、カバー４０５には、トルクリミッタ４０２の軸４０２ａと係合する軸穴が形成されている。カバー４０５は、壁部１０４の外側面に形成されたボスにネジ止めされている。モータ４０４は、２つの壁部１０４の間に配された凹部１０５に装着されている。
【００４３】
モータ４０４からの駆動力は、モータ４０４の駆動軸に装着されたギアと、ギア４０３、４０１を介してトルクリミッタ４０２に伝達され、さらに、トルクリミッタ４０２に装着されたミラーホルダ２００上面の軸２０２に伝達される。これにより、ミラーホルダ２００とともにミラー２０１が回動する。
【００４４】
下板部１０２の裏側には、コイルバネ４０６が装着されている。コイルバネ４０６は、ミラーホルダ２００の下面に形成された鉤部と下板部１０２の裏面に形成された鉤部の間に両端が係止されるようにしてミラーユニット１０ｃに取り付けられている。コイルバネ４０６は、図３（ａ）の状態では、同図手前の壁部１０４に押し付ける方向にミラーホルダ２００を付勢し、図３（ｂ）の状態では、同図奥側の壁部１０４に押し付ける方向にミラーホルダ２００を付勢する。
【００４５】
ミラーホルダ２００の回動終了位置は、調整ネジ２０４による調節板２０３の持ち上げ量によって調整され得る。ミラーユニット１０ｃが図２に示す光学エンジンに組み込まれた際には、各ランプユニット１０ａ、１０ｂからの光がともにフライアイインテグレータ１１に適正に向かうよう、調整ネジ２０４による調節板２０３の持ち上げ量が調整される。
【００４６】
同図（ａ）の状態にあるときには、ランプユニット１０ｂからの光がミラー２０１により反射されてフライングアイインテグレータ１１へと導かれる。この状態から、使用するランプユニットを切り替える場合には、モータ４０４を駆動してミラーユニット２００を反時計方向に回動させる。この回動は、検出スイッチ３０２がＯＮされてから一定時間が経過するまで継続される。
【００４７】
この間に、ミラーユニット２００が調節板２０３に押し付けられ、ミラー２０１が同図（ｂ）に示す位置に位置づけられる。なお、かかる押し付けの際、トルクリミッタ４０２の作用によりギア４０１が空転する。こうして、ミラーユニット２００が同図（ｂ）の状態に位置づけられ、ランプユニット１０ａからの光がミラー２０１により反射されてフライングアイインテグレータ１１へと導かれるようになる。なお、同図（ｂ）の状態から同図（ａ）の状態にミラーユニット１０ｃを切り替える場合、モータ４０４の駆動方向が上記と逆である他は、上記と同様の動作が行われる。
【００４８】
次に、図４ないし図８を参照して、ランプユニットの構成およびランプユニットの取り付け方法について説明する。なお、以下では１つのランプユニットを例に挙げて説明を行うが、以下に示すランプユニットの構成および取り付け方法は、図２に示す２つのランプユニット１０ａ、１０ｂの双方に適用されるものである。
【００４９】
図４は、ランプユニットとその取り付け部分の構成を示す図である。ランプユニットは、ランプ５００と、ランプ５００を保持するランプホルダ６００と、回路基板７００とを備えている。また、本体シャーシ側には、ランプホルダ６００を収容するホルダ収容部８００と、回路基板９００が配されている。なお、上記ミラーユニット２００は、図中のミラーユニット装着部８３０に装着される。
【００５０】
ランプホルダ６００は、ランプ５００が装着されるボックス部６１０を備え、ボックス部６１０の前面には、ランプ５００からの光を前方に導くための開口６１１が形成されている。また、ボックス部６１０の前面上部には、前方へ突出する鍔部６２０が形成され、この鍔部６２０に孔６２１が形成されている。さらに、ボックス部６１０の前面上部には、下方に突出する２つのピン６２２が形成されている。また、ボックス部６１０の後面上部には、後方へ突出するＬ字状の鍔部６３０が形成され、この鍔部６３０に、基板保持部６４０が延設されている。
【００５１】
図５（ａ）は、基板保持部６４０の拡大図である。基板保持部６４０には、上下に貫通する開口６４１が形成されており、また、上面に、Ｘ軸方向およびＹ軸方向に回路基板７００を係止するＬ字状の係止部６４２が形成されている。また、基板保持部６４０には、ネジ７１０が螺合するネジ穴６４３が形成されている。さらに基板保持部６４０の上面には、回路基板７００周縁が載置される載置部６４４が形成されている。
【００５２】
図６は、回路基板７００の構成を示す図である。同図（ａ）、（ｂ）は、それぞれ回路基板７００の上面図および裏面図である。回路基板７００には、２つの孔７０１が形成され、また、側面のネジ７１０に対応する位置に切り欠き７０２が形成されている。さらに、回路基板７００には、基板保持部６４０の係止部６４２に対応する位置に切り欠き７０３、７０４が形成されている。回路基板７００の裏面には、ＩＣを含む回路部７０５と、回路部７０５に電気的に接続されたコネクタ７０６が配されている。
【００５３】
図５（ａ）を参照して、回路基板７００は、切り欠き７０３、７０４を係止部６４２に嵌め込みながら周縁を載置部６４４に載せると、Ｘ軸方向とＺ軸方向に所定のストロークだけ変位可能となる輪郭形状を有している。また、載置部６４４は、このように回路基板７００が変位しても、回路基板７００が開口６４１内に落ち込まないような幅をもっている。
【００５４】
図４に戻り、ホルダ収容部８００は、前面および上面が開放さられたボックス装着部８１１を備え、このボックス装着部８１１に、ランプホルダ６００側のボックス部６１０が装着される。ボックス装着部８１１の前側上部には、ランプホルダ６００側の２つの孔６２１とそれぞれ係合するピン８１２が形成されている。また、ボックス装着部８１１の前側底部には、ランプホルダ６００側の２つのピン６２２とそれぞれ係合する孔８１３（図４には図示せず。図７参照）が形成されている。さらに、ボックス装着部８１１には、ランプホルダ６００の装着時にボックス部６１０の背面を係止してランプホルダ６００を案内する一対のガイド部８１４が上下方向に延びるように形成されている。また、ボックス装着部８１１の２つの壁には、ボックス装着部８１１内に風を通すための通気口８１５が形成されている。
【００５５】
ホルダ収容部８００には、ランプホルダ６００の装着時にランプホルダ６００側の基板保持部６４０に対向する位置に基板保持部８２０が形成されている。
【００５６】
図５（ｂ）は、基板保持部８２０の拡大図である。基板保持部８２０は、凹部８２１と、凹部８２１に突設された２つのピン８２２およびネジ穴８２３とを有する。また、凹部８２１を囲む壁のうちネジ穴８２３近傍の壁に切り欠き８２４が形成されている。
【００５７】
回路基板９００には、基板保持部８２０側の２つのピン８２２とそれぞれ係合する切り欠き９０１と孔９０２が形成されている。また、回路基板９００の上面には、ランプホルダ６００側に配された回路基板７００上のコネクタ７０６と接合するコネクタ９０３と、コネクタ９０３をメイン基板に電気的に接合するためのコネクタ９０４が装着されている。かかる回路基板９００は、ネジ９０５をネジ穴８２３に螺着することにより、基板保持部８２０に装着される。
【００５８】
図４に戻り、ランプユニットの取り付け時には、まず、ランプ５００がランプホルダ６００のボックス部６１０に装着される。次に、回路基板７００がランプホルダ６００の基板保持部６４０に装着される。図５（ａ）を参照して、回路基板７００の装着は、切り欠き７０３、７０４をＬ字状の係止部６４２に嵌め込みながら、回路基板７００を載置部６４４に載置し、さらに、ネジ７１０をネジ穴６４３に螺合させることにより行われる。このとき、ネジ７１０は、回路基板７００の上面との間に僅かに隙間があるようにネジ穴６４３に螺合される。これにより、回路基板７００は、Ｘ軸方向およびＺ軸方向に所定のストロークだけ変位可能な状態で、基板装着部６４０に装着される。
【００５９】
図４に戻り、一方、本体シャーシ側では、基板保持部８２０に回路基板９００が装着される。図５（ｂ）を参照して、回路基板９００の装着は、切り欠き９０１と孔９０２をそれぞれ２つのピン８２２に嵌合させながら、回路基板９００を切り欠き８２４と、ピン８２２根本の台座部８２２ａに載せる。台座部８２２ａ上面と切り欠き８２４上面は同じ高さとなっている。しかる後、ネジ９０５をネジ穴８２３に螺着する。
【００６０】
ここで、切り欠き９０１と孔９０２は、略遊びなくピン８２２に係合する。よって、上記のように回路基板を切り欠き８２４と、ピン８２２根本の台座部８２２ａに載せると、回路基板９００は、基板保持部８２０に対して、Ｘ軸方向およびＺ軸方向に位置決めされる。また、ネジ９０５は、回路基板９００上面に圧接されるまでネジ穴８２３に螺着される。これにより、回路基板９００は、Ｙ軸方向にも変位不能となり、Ｙ軸方向に位置決めされる。
【００６１】
図７は、２つの回路基板７００、９００が、それぞれ基板保持部６４０、８２０に装着された状態を示す図である。しかる後、ランプホルダ６００は、ボックス部６１０背面を、ガイド部８１４に当接させながら、ボックス装着部８１１内に押し込むことにより、ホルダ収容部８００に取り付けられる。
【００６２】
なお、ボックス装着部８１１の前方内側面とガイド部８１４の間の距離は、ボックス部６１０のＸ軸方向の長さより僅かに大きくなっている。よって、ランプホルダ６００は、ボックス部６１０背面を、ガイド部８１４に当接させながら、ボックス装着部８１１内に押し込むことにより、ホルダ収容部８００の所定の位置に収容される。
【００６３】
こうしてランプホルダ６００をボックス装着部８１１に押し込むと、ランプホルダ６００がホルダ収容部８００内の所定の位置に到達する手前で、ホルダ収容部８００側の２つのピン８１２の先端がランプホルダ６００側の２つの孔６２１に挿入され、また、ランプホルダ６００側の２つのピン６２２の先端がホルダ収容部８００側の２つの孔８１３に挿入される。このとき、同時に、基板保持部８２０に突設された２つのピン８２２の先端が、回路基板７００の２つの孔７０１に挿入される。
【００６４】
ここで、ピン８１２、６２２は、何れも、端部が先細りとなっているため、この状態からさらにランプホルダ６００がボックス装着部８１１に押し込まれると、ランプホルダ６００は、これらピン８１２、６２２先端の傾斜に案内されて所定の位置に位置づけられる。こうして、ランプホルダ６００に装着されたランプ５００の光軸が、後段の光学系に対して適正化される。
【００６５】
また、ピン８２２の端部にも、先細りとなった傾斜部８２２ｂ（図５（ｂ）参照）が形成されているため、上記のようにピン８２２が孔７０１に挿入された状態からさらにランプホルダ６００がボックス装着部８１１に押し込まれると、回路基板７００は、ピン８２２先端の傾斜部８２２ｂに案内されてＸ軸方向およびＺ軸方向に変位する。これにより、回路基板７００に配されたコネクタ７０６が、回路基板９００側のコネクタ９０３に正しく向き合うようになり、その後、さらにランプホルダ６００が押し込まれることで、コネクタ７０６とコネクタ９０３の接合がなされる。
【００６６】
図８（ａ）は、ランプホルダ６００がボックス装着部８１１に完全に押し込まれたときの状態を示す図である。図８（ｂ）は、そのときの基板収容部６４０、８２０近傍の状態を示す斜視図であり、図８（ｃ）は、図８（ｂ）において基板７００を取り除いた状態の斜視図である。
【００６７】
図示の如く、ランプホルダ６００がボックス装着部８１１に完全に押し込まれた状態において、ランプ５００の位置決めがなされ、かつ、回路基板７００のコネクタ７０６と回路基板９００のコネクタ９０３が接合される。
【００６８】
図９は、図８（ｂ）のＡ−Ａ’断面図である。ピン８２２の長さは、回路基板７００上のコネクタ７０６に、回路基板９００上のコネクタ９０３が接合し始めるよりも前に、ピン８２２の先端より根本の部分が回路基板７００の孔７０１に嵌合するような長さに設計される。こうすることで、コネクタ７０６とコネクタ９０３が接合し始める際には両コネクタ間の位置決めが完了した状態となり、コネクタ７０６とコネクタ９０３を円滑に接合することができる。
【００６９】
以上、本実施の形態によれば、ランプホルダ６００がホルダ収容部８００に装着される際にコネクタ７０６とコネクタ９０３が互いに向き合っていなくとも、ピン８２２に案内されて回路基板７００の位置が孔７０１によって変位され、これにより、コネクタ７０６とコネクタ９０３を互いに正対向するようになる。よって、ランプホルダ６００をホルダ収容部に装着する際に、簡易に、コネクタ７０６とコネクタ９０３を接合させることができる。
【００７０】
なお、本実施の形態のように、ピン８２２の端部を先細りの形状とすると、ランプホルダ６００をホルダ収容部８００に装着する際に、ピン８２２の端部が孔７０１に挿入し易くなる。また、本実施の形態によれば、このようにピン８２２によって回路基板７００の位置が適正化されるため、ランプホルダ６００をホルダ収容部８００に装着するのみで、コネクタ７０６とコネクタ９０３とを互いに接合させることができる。
【００７１】
以上、本発明の実施形態について説明したが、本発明は上記実施の形態に何ら制限されるものではない。また、本発明の実施形態は、上記以外に種々変更可能である。
【００７２】
たとえば、上記実施の形態では、回路基板７００がＸ軸方向およびＺ軸方向に変位可能とされたが、回路基板７００は固定し、回路基板９００を基板保持部８２０に装着された状態でＸ軸方向およびＹ軸方向に変位可能としても良い。この場合、回路基板９００を位置決めするためのピンは、基板保持部６４０側に配されることとなる。
【００７３】
また、上記実施の形態では、ピン８２２によって回路基板９００を変位させるようにしたが、ピン８２２を省略し、手指によって回路基板７００の位置を変化させながら、回路基板７００の位置ずれを補正するようにしても、コネクタ７０６をコネクタ９０３に対向させることができる。ただし、こうすると、回路基板７００の位置調整作業が必要となるため、上記実施の形態に比べると、作業性が大きく低下する。
【００７４】
さらに、上記実施の形態では、ホルダ収容部８００に、メイン基板に中継するための回路基板９００を配するようにしたが、ホルダ収容部８００近傍の、ランプホルダ６００側の基板保持部６４０に対応する位置にメイン基板を配することが可能であれば、メイン基板上のこの位置に、ランプホルダ６００のコネクタ７０６と接合するコネクタを配置するようにしても良い。
【００７５】
この他、上記実施の形態では、ランプユニットを２つ搭載可能な照明装置およびプロジェクタを例に挙げたが、ランプユニットの搭載数は、１つであってもよく、あるいは、３つ以上であっても良い。また、本発明に係るランプユニットおよび照明装置は、プロジェクタ以外の製品にも適用可能である。
【００７６】
本発明の実施の形態は、特許請求の範囲に示された技術的思想の範囲内において、適宜、種々の変更が可能である。
【図面の簡単な説明】
【００７７】
【図１】実施の形態に係るプロジェクタの概観を示す図
【図２】実施の形態に係る光学エンジンの構成を示す図
【図３】実施の形態に係るミラーユニットの構成を示す斜視図
【図４】実施の形態に係るランプユニットの構成を示す分解斜視図
【図５】実施の形態に係るランプユニットの構成を示す一部拡大図
【図６】実施の形態に係るランプユニットの回路基板の構成を示す図
【図７】実施の形態に係るランプユニットの取り付け方法を説明する斜視図
【図８】実施の形態に係るランプユニットの取り付け状態を示す斜視図
【図９】実施の形態に係るランプユニットの取り付け状態を示す一部断面図
【符号の説明】
【００７８】
１０  …  照明装置
１０ａ、１０ｂ  …  ランプユニット
５００  …  ランプ
６００  …  ランプホルダ
６４０  …  基板保持部
６４２  …  係止部
６４４  …  載置部
７００  …  回路基板
７０１  …  孔
７０３  …  切り欠き
７０６  …  コネクタ
８００  …  ホルダ収容部
８２０  …  基板保持部
８２２  …  ピン
８２２ｂ  …  傾斜部
９００  …  回路基板
９０３  …  コネクタ
【図１】
2010113093.tif 000003
【図２】
2010113093.tif 000004
【図３】
2010113093.tif 000005
【図４】
2010113093.tif 000006
【図５】
2010113093.tif 000007
【図６】
2010113093.tif 000008
【図７】
2010113093.tif 000009
【図８】
2010113093.tif 000010
【図９】
2010113093.tif 000011